(57)【要約】【課題】  組立作業効率とメンテナンス性の双方を向上することを可能とした電子機器を提供すること。【解決手段】  内部機器を設置するトレー１００と、トレー１００を格納する筐体４００とを具備し、トレー１００をスライドさせ筐体４００に格納する。またトレー１００及び筐体４００に、トレー１００を筐体４００に固定する固定機構２００、５００を備える。またトレー１００は、内部機器を設置する格納部１１０と、メンテナンス用切抜き穴３００を有した前面部１２０を備え、内部機器のうちメンテナンス対象となる部品を、格納部１１０のメンテナンス用切抜き穴３００に合わせた位置に設置する。【選択図】  図１
2013205996.tif 000002
【特許請求の範囲】
【請求項１】
内部機器を設置するトレーと、前記トレーを格納する筐体とを具備することを特徴とする
電子機器。
【請求項２】
前記筐体は開口部を備え、前記トレーを前記開口部から挿入し、前記筐体内へスライドさ
せ、前記トレーを格納することを特徴とする請求項１記載の電子機器。
【請求項３】
前記トレーは、前記内部機器を設置する格納部と、メンテナンス用切抜き穴を有した前面
部を備え、前記内部機器のうちメンテナンス対象となる部品を、前記格納部の前記メンテ
ナンス用切抜き穴に合わせた位置に設置することを特徴とする請求項１又は２記載の電子
機器。
【請求項４】
前記トレー及び前記筐体に、前記トレーを前記筐体に固定する固定機構を備えることを特
徴とする請求項１乃至３記載の電子機器。
【請求項５】
前記固定機構は、前記トレーの前記前面部に設けられた固定用切抜き穴と、前記筐体に設
けられた固定用フックとで構成され、前記トレーが前記筐体の設置位置に設置された状態
において、前記固定用切抜き穴に前記固定用フックが貫通し、前記固定用切抜き穴に前記
固定用フックが貫通した状態で前記固定用フックが固定状態となることで、前記トレーを
前記筐体に固定することを特徴とする請求項４記載の電子機器。
【請求項６】
前記トレーの寸法が、前記筐体の寸法に比べ短く、前記トレーをスライドさせ前記筐体に
格納する構成を有することを特徴とする請求項１乃至５記載の電子機器。
【発明の詳細な説明】
【技術分野】
【０００１】
本発明の実施形態は、基板などの内部機器を筐体内に格納する電子機器に関する。
【背景技術】
【０００２】
デスクトップ型コンピュータ等の電子機器は、一般的に箱型の筐体にメインボード等の
基板や電源、ＨＤＤユニット、冷却ＦＡＮなどの内部機器を実装し、その後配線を行い、
筐体上面を蓋で閉じて完成という作業
で組み立てる。また、プリンタ等の大型の電子機器については、外部でメカなどの内部機
器を組み立てて、その後、組み立てた内部機器をキャスターの付いた台車に載せ、台車ご
と筐体内に設置する作業で組み立てを行う方法もある。
【先行技術文献】
【特許文献】
【０００３】
【特許文献１】特開平４−３４８９７６号公報
【発明の概要】
【発明が解決しようとする課題】
【０００４】
電子機器の小型化により、基板等の設置や配線は、非常に狭いスペースで組立作業を行
わなければならない。このため、作業効率が悪く、また設置・配線ミス、ケーブル等の破
損を引き起こし、最悪の場合、不良品を出荷してしまう可能性がある。また、外部で内部
機器を組み立てて、それを台車に載せて、台車ごと筐体に設置する方法は、台車やこの台
車を設置するための部品などが必要であるため部品点数が多くなり、また形状も限定され
てしまう。また、上述した２つの背景技術では、電子機器のメンテナンスの際には故障し
た部品のみを交換することができず、電子機器全体を解体して、交換しなければならなか
った。
【０００５】
本発明は、上述の課題を解決するために提案されたものであって、組立作業効率とメン
テナンス性の双方を向上することを可能とした電子機器を提供することを目的とする。
【課題を解決するための手段】
【０００６】
上記の目的を達成するために、本発明の請求項１の電子機器は、内部機器を設置するト
レーと、前記トレーを格納する筐体とを具備することを特徴とする。
【０００７】
また、本発明の電子機器は、前記筐体は開口部を備え、前記トレーを前記開口部から挿
入し、前記筐体内へスライドさせ、前記トレーを格納することを特徴とする。
【０００８】
また、本発明の電子機器は、前記トレーは、前記内部機器を設置する格納部と、メンテ
ナンス用切抜き穴を有した前面部を備え、前記内部機器のうちメンテナンス対象となる部
品を、前記格納部の前記メンテナンス用切抜き穴に合わせた位置に設置することを特徴と
する。
【０００９】
また、本発明の電子機器は、前記トレー及び前記筐体に、前記トレーを前記筐体に固定
する固定機構を備えることを特徴とする。
【００１０】
また、本発明の電子機器は、前記固定機構は、前記トレーの前記前面部に設けられた固
定用切抜き穴と、前記筐体に設けられた固定用フックとで構成され、前記トレーが前記筐
体の設置位置に設置された状態において、前記固定用切抜き穴に前記固定用フックが貫通
し、前記固定用切抜き穴に前記固定用フックが貫通した状態で前記固定用フックが固定状
態となることで、前記トレーを前記筐体に固定することを特徴とする。
【００１１】
また、本発明の電子機器は、前記トレーの寸法が、前記筐体の寸法に比べ短く、前記ト
レーをスライドさせ前記筐体に格納する構成を有することを特徴とする。
【００１２】
することを特徴とする。
【図面の簡単な説明】
【００１３】
【図１】本実施形態の電子機器の全体構成を示す図。
【図２】本実施形態の電子機器のトレーの構成を示す図。
【図３】本実施形態の電子機器の筐体の構成を示す図。
【図４】本実施形態の電子機器の内部機器を格納した状態を示す図。
【図５】本実施形態の電子機器の固定用フックを示す図。
【発明を実施するための形態】
【００１４】
以下、実施形態の電子機器について図面を参照して説明する。
【００１５】
図１は、本実施形態の電子機器の全体構成を示す図である。図２は、本実施形態の電子
機器のトレーの構成を示す図である。図３は、本実施形態の電子機器の筐体の構成を示す
図である。図４は、本実施形態の電子機器の内部機器を格納した状態を示す図である。図
５は、本実施形態の電子機器の固定用フックを示す図である。
【００１６】
図１に示すように、本実施形態の電子機器１０は、トレー１００と筐体４００とを有す
る。図２に示すように、トレー１００は、格納部１１０と、前面部１２０と、一対の固定
用切抜き穴２００と、複数のメンテナンス用切抜き穴３００とを有する。格納部１１０は
、基板や部品などの内部機器を格納するためのものである。前面部１２０は、電子機器１
０の前面を構成する。固定用切り抜き穴２００は、前面部１２０に設けられており、トレ
ー１００を筐体４００に固定するためのものである。メンテナンス用切抜き穴３００も、
前面部１２０に設けられており、格納部１１０に格納された内部機器のメンテナンスに使
用されるものである。図３に示すように、筐体４００は箱型の形状を有しており、その一
面が開口した開口部４１０と、一対の固定用フック５００とを有する。開口部４１０は、
筐体４００へのトレー１００の挿入、及び、筐体４００からのトレー１００の引き出しを
可能とするものである。固定用フック５００は、開口部４１０に設けられており、トレー
１００を筐体４００に固定するためのものである。トレー１００の固定用切抜き穴２００
と筐体４００の固定用フック５００とで固定機構を構成する。トレー１００の横幅、縦幅
、高さの寸法は、筐体４００の横幅、縦幅、高さの寸法に比べ数ミリ程度短く、トレー１
００が筐体４００内に挿入可能な寸法となっている。
【００１７】
次に、組み立て作業について説明する。
【００１８】
先ず、トレー１００に内部機器の設置を行う。図４に示すように、トレー１００の格納
部１１０に、基板６００、電源ユニット７００、ＨＤＤユニット８００、冷却ＦＡＮ（図
示せず）等の設置、及び、ケーブル９００の配線を行う。長期的に使用する場合にメンテ
ナンスが必要となる部品、例えば、ＨＤＤユニット８００や冷却ＦＡＮなどは、メンテナ
ンス用切抜き穴３００に合わせた位置に各々設置する。その後、内部機器の設置されたト
レー１００を、筐体４００の開口部４１０から挿入し、筐体４００に格納する。トレー１
００の格納部１１０の下面１３０とその両端のフレーム１４０を、筐体４００の内面に合
わせて、挿入方向にスライドさせつつ、トレー１００の固定用切抜き穴２００に筐体４０
０の固定用フック５００を貫通させ、筐体４００の内側の側面４２０とトレー１００の格
納部１１０の先端部１５０が接触するまでトレー１００を挿入することで、トレー１００
を筐体４００の設置位置に設置する。その後、図５に示すように、固定用切抜き穴２００
を貫通した固定用フック５００を９０度折り曲げることで、トレー１００を筐体４００に
固定する。図５（Ａ）は、固定用フック５００の開放状態、図５（Ｂ）は固定用フック５
００を９０度折り曲げた開放状態を示す。
【００１９】
以上のように、本実施形態の電子機器では、内部機器を設置する際に、トレー１００を
筐体４００から取り外した状態で、トレー１００上で基板６００や電源ユニット７００や
その他の部品を、それぞれ指定の場所に設置し、配線を行うことができるので、組立時の
作業効率が向上する。また、トレー１００の格納部１１０の両端のフレーム１４０は、高
さを低くしている。このため、トレー１００に内部機器を設置した後に、いろいろな角度
から内部機器をチェックすることができ、組立ミスの減少、組立時の内部機器の部品の破
損等を防ぐことができる。
【００２０】
また、固定用フック５００を開放状態にし、トレー１００を引き抜き方向にスライドさ
せることで、トレー１００を筐体４００の前面から引き抜くことができる。このため、基
板６００や電源７００などの内部機器が故障した際には、トレー１００を筐体４００から
引き抜き、故障部品・箇所のみを修理・交換することができる。従って、電子機器１０が
大型システムの一部として設置されている場合、即ち、電子機器１０の筐体４００が大型
システムの他の装置と共に固定された状態で設置されている場合でも、電子機器１０を取
り外すために大型システムを解体する必要がない。
【００２１】
また、長期的に使用する場合にメンテナンスが必要となる部品、例えば、ＨＤＤユニッ
ト８００や冷却ＦＡＮなどは、メンテナンス用切抜き穴３００に合わせた位置に各々設置
されているので、メンテナンスを行う場合は、トレー１００を筐体４００から引き出すこ
となく、メンテナンス用切抜き穴３００からＨＤＤユニット８００や冷却ＦＡＮなどの部
品を取り外せるようにした。このため、メンテナンス性を向上させることが可能である。
【００２２】
また、トレー１００と筐体４００の寸法の違いによりトレー１００のスライドを可能と
しているため、レールやキャスターを用いる必要がなく、部品点数の削減、製品コストの
削減を行うことが可能である。
【００２３】
本発明の１つの実施形態を説明したが、この実施形態は、例として提示したものであり
、発明の範囲を限定することは意図していない。この実施形態は、その他の様々な形態で
実施されることが可能であり、発明の要旨を逸脱しない範囲で、種々の省略、置き換え、
変更を行うことができる。これら実施形態やその変形は、発明の範囲や要旨に含まれると
同様に、特許請求の範囲に記載された発明とその均等の範囲に含まれるものである。
【符号の説明】
【００２４】
１０…電子機器、１００…トレー、１１０…格納部、１２０…前面部、１３０…下面、
１４０…フレーム、１５０…先端部、２００…固定用切抜き穴、３００…メンテナンス用
切抜き穴、４００…筐体、４１０…開口部、４２０…側面、５００…固定用フック、６０
０…基板、７００…電源ユニット、８００…ＨＤＤユニット、９００…ケーブル。
【図１】
2013205996.tif 000003
【図２】
2013205996.tif 000004
【図３】
2013205996.tif 000005
【図４】
2013205996.tif 000006
【図５】
2013205996.tif 000007